(57)【要約】  空気調和機の室外機は、熱交換器と、送風機と、圧縮機とが配置される底板を有し、室外機の外郭を構成する筐体と、筐体の内部に設けられ、筐体内の空間を、熱交換器と送風機とを収納する送風機室と、圧縮機を収納する機械室とに隔てる仕切板と、を備え、機械室において、底板には、筐体の内部と外部とを連通させる排水孔部が形成されていると共に、底板は、排水孔部の上方の一部を覆うように、排水孔部から切り起こされた切り起こし片を有しており、切り起こし片は、圧縮機と対向するように形成されているものである。
2020202495.tif 000002
【特許請求の範囲】
【請求項１】
熱交換器と、送風機と、圧縮機とが配置される底板を有し、室外機の外郭を構成する筐体と、
前記筐体の内部に設けられ、前記筐体内の空間を、前記熱交換器と前記送風機とを収納する送風機室と、前記圧縮機を収納する機械室とに隔てる仕切板と、
を備え、
前記機械室において、前記底板には、前記筐体の内部と外部とを連通させる排水孔部が形成されていると共に、前記底板は、前記排水孔部の上方の一部を覆うように、前記排水孔部から切り起こされた切り起こし片を有しており、
前記切り起こし片は、
前記圧縮機と対向するように形成されている空気調和機の室外機。
【請求項２】
前記底板は、
鉛直方向において、高さの異なる底面を構成する底板下部と、底板上部と、を有し、
前記排水孔部は、
前記底板上部よりも下方に位置する前記底板下部に形成されている請求項１に記載の空気調和機の室外機。
【請求項３】
前記底板は、
前記底板下部と前記底板上部との間に前記鉛直方向に対して傾斜した傾斜部を有している請求項２に記載の空気調和機の室外機。
【請求項４】
前記切り起こし片は、
前記底板の板面に対して傾斜している請求項１〜３のいずれか１項に記載の空気調和機の室外機。
【請求項５】
前記切り起こし片は、
前記底板から立ち上がった状態の側壁部と、
前記側壁部と一体に形成されており前記排水孔部の上方に配置される上壁部と、
を有する請求項１〜４のいずれか１項に記載の空気調和機の室外機。
【請求項６】
前記切り起こし片は、
前記圧縮機と対向する面に吸音材が配置されている請求項１〜５のいずれか１項に記載の空気調和機の室外機。
【請求項７】
前記切り起こし片は、
前記側壁部及び前記上壁部の前記機械室側の面に吸音材が配置されている請求項５に記載の空気調和機の室外機。
【請求項８】
前記排水孔部は、
前記圧縮機と接続する冷媒配管の下方に形成されている請求項１〜７のいずれか１項に記載の空気調和機の室外機。
【発明の詳細な説明】
【技術分野】
【０００１】
本発明は、冷凍サイクル装置を構成する空気調和装置の室外機に関するものである。
【背景技術】
【０００２】
従来、空気調和装置の室外機には、熱交換器から流下する除霜水を排水し、あるいは、室外機内に浸入した雨水を排水する目的で室外機の底板に排水用の排水孔が形成されたものが提案されている（例えば、特許文献１参照）。
【先行技術文献】
【特許文献】
【０００３】
【特許文献１】特開２０１８−１６２９５３号公報
【発明の概要】
【発明が解決しようとする課題】
【０００４】
しかしながら、特許文献１の空気調和装置の室外機は、熱交換器の下方の底板を切り起こして排水孔が形成されている。ところで、一般に空気調和装置の室外機は、室外機の筐体の空間が仕切板によって、熱交換器と送風機が収容された送風機室と、圧縮機が収容された機械室とに隔てられている。特許文献１の空気調和装置の室外機は、熱交換器が収容された送風機室にのみ排水孔が形成されており、機械室には排水孔が形成されていない。また、室外機の機械室には作動に基づく騒音を発する圧縮機が収容されており、特許文献１の空気調和装置の室外機には、機械室に排水孔が設けられた場合に圧縮機から生じる騒音が排水孔から筐体外部に漏れることに対する対策が提案されていない。【０００５】
本発明は、上述のような課題を解決するためのものであり、結露水、あるいは、雨水等を機械室から筐体外部に排水でき、かつ、機械室の主な音源である圧縮機から生じる騒音が筐体外部に漏れることを抑制する空気調和機の室外機を提供することを目的とする。
【課題を解決するための手段】
【０００６】
本発明に係る空気調和機の室外機は、熱交換器と、送風機と、圧縮機とが配置される底板を有し、室外機の外郭を構成する筐体と、筐体の内部に設けられ、筐体内の空間を、熱交換器と送風機とを収納する送風機室と、圧縮機を収納する機械室とに隔てる仕切板と、を備え、機械室において、底板には、筐体の内部と外部とを連通させる排水孔部が形成されていると共に、底板は、排水孔部の上方の一部を覆うように、排水孔部から切り起こされた切り起こし片を有しており、切り起こし片は、圧縮機と対向するように形成されているものである。
【発明の効果】
【０００７】
本発明によれば、空気調和機の室外機は、機械室において、底板に、筐体の内部と外部とを連通させる排水孔部が形成されていることで、結露水、あるいは、雨水等を機械室から筐体外部に排水できる。また、機械室において、底板は、排水孔部の上方の一部を覆うように、排水孔部から切り起こされた切り起こし片を有しており、切り起こし片は、圧縮機と対向するように形成されている。そのため、室外機は、機械室に排水孔部が形成されていても、排水孔部の上方の一部を覆い、圧縮機と対向する切り起こし片によって、圧縮機から発せられる音を反射することができ、圧縮機から生じる騒音が筐体の外部に漏れることを抑制することができる。
【図面の簡単な説明】
【０００８】
【図１】実施の形態に係る空気調和装置の室外機を備えた冷凍サイクル装置の構成を示す冷媒回路図である。
【図２】実施の形態に係る室外機の正面側斜視図である。
【図３】実施の形態に係る室外機の一部を分解した分解斜視図である。
【図４】実施の形態に係る室外機の天面パネルを取り外した上面図である。
【図５】実施の形態に係る室外機の機械室の底板の上面図である。
【図６】図５の底板のＡ−Ａ線断面図である。
【図７】圧縮機と切り起こし片との関係を示す概念図である。
【図８】図７の切り起こし片及び排水孔部の拡大図である。
【図９】変形例の切り起こし片の概念図を示している。
【発明を実施するための形態】
【０００９】
以下、実施の形態に係る空気調和装置の室外機１００について図面等を参照しながら説明する。なお、図１を含む以下の図面では、各構成部材の相対的な寸法の関係及び形状等が実際のものとは異なる場合がある。また、以下の図面において、同一の符号を付したものは、同一又はこれに相当するものであり、このことは明細書の全文において共通することとする。また、理解を容易にするために方向を表す用語（例えば「上」、「下」、「右」、「左」、「前」、「後」など）を適宜用いるが、それらの表記は、説明の便宜上、そのように記載しているだけであって、装置あるいは部品の配置及び向きを限定するものではない。
【００１０】
実施の形態．
［冷凍サイクル装置１５０］
図１は、実施の形態に係る空気調和装置の室外機１００を備えた冷凍サイクル装置１５０の構成を示す冷媒回路図である。まず、図１を用いて空気調和装置の室外機１００を備えた冷凍サイクル装置１５０について説明する。なお、図１において、点線で示す矢印は、冷媒回路１１０において、冷房運転時における冷媒の流れる方向を示すものであり、実線で示す矢印は、暖房運転時における冷媒の流れる方向を示すものである。本実施の形態では、冷凍サイクル装置１５０として空気調和装置を例示しているが、冷凍サイクル装置１５０は、例えば、冷蔵庫あるいは冷凍庫、自動販売機、空気調和装置、冷凍装置、給湯器などの、冷凍用途または空調用途に使用される。なお、図示した冷媒回路１１０は一例であって、回路要素の構成等について実施の形態で説明した内容に限定されるものではなく、本発明の技術の範囲内で適宜変更が可能である。
【００１１】
冷凍サイクル装置１５０は、圧縮機１０１、流路切替装置１０２、室内熱交換器１０３、減圧装置１０４及び室外熱交換器１０５が冷媒配管を介して環状に接続された冷媒回路１１０を有している。冷凍サイクル装置１５０は、室外機１００及び室内機２００を有している。室外機１００には、圧縮機１０１、流路切替装置１０２、室外熱交換器１０５及び減圧装置１０４と、室外熱交換器１０５に室外空気を供給する室外送風機１０８と、が収容されている。室内機２００には、室内熱交換器１０３と、室内熱交換器１０３に空気を供給する室内送風機１０９と、が収容されている。室外機１００と室内機２００とは、冷媒配管の一部である２本の延長配管１１１及び延長配管１１２を介して接続されている。
【００１２】
圧縮機１０１は、吸入した冷媒を圧縮して吐出する流体機械である。流路切替装置１０２は、例えば四方弁であり、制御装置（図示は省略）の制御により、冷房運転時と暖房運転時とで冷媒の流路を切り替える装置である。
【００１３】
室内熱交換器１０３は、内部を流通する冷媒と、室内送風機１０９により供給される室内空気と、の熱交換を行う熱交換器である。室内熱交換器１０３は、暖房運転時には凝縮器として機能し、冷房運転時には蒸発器として機能する。
【００１４】
減圧装置１０４は、例えば膨張弁であり、冷媒を減圧させる装置である。減圧装置１０４としては、制御装置の制御により開度が調節される電子膨張弁を用いることができる。
【００１５】
室外熱交換器１０５は、内部を流通する冷媒と、室外送風機１０８により供給される空気と、の熱交換を行う熱交換器である。室外熱交換器１０５は、暖房運転時には蒸発器として機能し、冷房運転時には凝縮器として機能する。
【００１６】
［冷凍サイクル装置１５０の動作］
次に、図１を用いて冷凍サイクル装置１５０の動作について説明する。冷凍サイクル装置１５０の暖房運転時には、圧縮機１０１から吐出される高圧高温のガス状態の冷媒は、流路切替装置１０２を介して室内熱交換器１０３に流入し、室内送風機１０９によって供給される空気と熱交換を行い凝縮する。凝縮した冷媒は、高圧の液状態となり、室内熱交換器１０３から流出し、減圧装置１０４によって、低圧の気液二相状態となる。低圧の気液二相状態の冷媒は、室外熱交換器１０５に流入し、室外送風機１０８によって供給される空気との熱交換によって蒸発する。蒸発した冷媒は、低圧のガス状態となり、圧縮機１０１に吸入される。
【００１７】
冷凍サイクル装置１５０冷房運転時には、冷媒回路１１０を流れる冷媒が暖房運転時とは逆方向に流れる。すなわち、冷凍サイクル装置１５０の冷房運転時には、圧縮機１０１から吐出される高圧高温のガス状態の冷媒は、流路切替装置１０２を介して室外熱交換器１０５に流入し、室外送風機１０８によって供給される空気と熱交換を行い凝縮する。凝縮した冷媒は、高圧の液状態となり、室外熱交換器１０５から流出し、減圧装置１０４によって、低圧の気液二相状態となる。低圧の気液二相状態の冷媒は、室内熱交換器１０３に流入し、室内送風機１０９によって供給される空気との熱交換によって蒸発する。蒸発した冷媒は、低圧のガス状態となり、圧縮機１０１に吸入される。
【００１８】
［室外機１００の構成］
図２は、実施の形態に係る室外機１００の正面側斜視図である。図３は、実施の形態に係る室外機１００の一部を分解した分解斜視図である。図４は、実施の形態に係る室外機１００の天面パネル３を取り外した上面図である。なお、図４では、筐体５０の内部構造を明確にするためにモータ支持部材１４の一部を省略している。
【００１９】
図２〜図４を用いて、空気調和機の室外機１００について説明する。図２を含む以下の図面に示すＸ軸は、室外機１００の左右方向を示し、Ｙ軸は室外機１００の前後方向を示し、Ｚ軸は室外機１００の上下方向を示すものである。より詳細には、室外機１００を正面から見たときＸ１側を左側、Ｘ２側を右側、Ｙ軸においてＹ１側を前側、Ｙ２側を後側、Ｚ軸においてＺ１側を上側、Ｚ２側を下側として室外機１００を説明する。なお、室外機１００を正面から見たときとは、筐体５０内を流れる空気の流れ方向において、筐体５０から空気が吹き出される下流側から室外機１００を見た場合の状態をいう。また、明細書中における各構成部材同士の位置関係（例えば、上下関係等）は、原則として、室外機１００を使用可能な状態に設置したときのものである。
【００２０】
（室外機１００の外郭）
室外機１００は、図２に示すように、略直方体状に構成された筐体５０を有する。室外機１００の筐体５０は、板金製であり、室外機１００の外郭を構成する。室外機１００の筐体５０は、外郭パネル１と、側面パネル２と、天面パネル３と、底板４とを有する。外郭パネル１及び側面パネル２の上部にはフランジが設けられており、このフランジに天面パネル３が取り付けられる。同様に、底板４にもフランジが設けられており、このフランジに外郭パネル１及び側面パネル２がボルト等により固定され、外郭パネル１及び側面パネル２は、底板４上に組み付けられる。
【００２１】
外郭パネル１は、板金パネルである。外郭パネル１は、正面部１１と側面部１２と背面部１３とが一体に形成された形状を有している。正面部１１は、筐体５０の前面側の側壁部を構成し、側面部１２は、筐体５０の側面側の側壁部を構成し、背面部１３は、筐体５０の背面側の側壁部の一部を構成する。外郭パネル１は、横長の正面部１１と、縦長の側面部１２とによって、室外機１００の上方、すなわち天面パネル３の配置側から見てＬ字形状となるように折り曲げられて形成されている。なお、外郭パネル１は、正面部１１と側面部１２とが一体に形成されているが、外郭パネル１は当該構成に限定されるものではなく、外郭パネル１は、正面部１１と側面部１２とを別体として、複数の板金パネルで構成してもよい。
【００２２】
正面部１１は、空気が吹き出される側の筐体５０の側壁を構成する。正面部１１には、円形状の吹出口８が形成されている。室外送風機１０８によって、背面側の開口部７あるいは側面側の開口部から筐体５０内に吸い込まれた空気は、吹出口８から筐体５０の外に吹き出される。また、外郭パネル１の正面部１１には、吹出口８を覆って室外送風機１０８のプロペラファン１０８ａを保護する矩形形状のファンガード６が取り付けられている。なお、正面部１１を構成する部材は、１つでもよく複数でもよい。例えば、正面部１１を構成する部材は、後述する送風機室３１と機械室３２とを覆う部材をそれぞれ別部材としてもよい。
【００２３】
側面部１２は、筐体５０の前後方向（Ｙ軸方向）に延びる側壁を構成する。筐体５０の
内部に配置される室外熱交換器１０５が、上面視でＬ字形状に配置されている等、室外送風機１０８の径方向に配置されている場合には、側面部１２には、室外空気を筐体５０の内部に取り込むための開口部が形成されている。なお、側面部１２を構成する部材は、１つでもよく複数でもよい。
【００２４】
背面部１３は、筐体５０の背面側の一部を構成し、室外熱交換器１０５の背面側の一部覆う。背面部１３は、筐体５０の前後方向（Ｙ軸方向）において、正面部１１の一部と対向する位置に配置される。外郭パネル１は、正面部１１と側面部１２と背面部１３とが一体に形成された形状を有している。外郭パネル１は、側面部１２と背面部１３とによって、室外機１００の上方、すなわち天面パネル３の配置側から見てＬ字形状となるように折り曲げられて形成されている。そして、背面部１３は、側面部１２から室外熱交換器１０５の背面側の一部を覆う位置まで延びるように形成されている。なお、外郭パネル１は、側面部１２と背面部１３とが折り曲げられて一体に形成されているが、外郭パネル１は、当該構成に限定されるものではなく、側面部１２と背面部１３とを別体として、複数の板金パネルで構成してもよい。また、背面部１３を構成する部材は、１つでもよく複数でもよい。
【００２５】
背面部１３が、筐体５０の背面側の一部を構成し、室外熱交換器１０５の一部を覆うことで、筐体５０の背面側には室外熱交換器１０５を露出するための開口部７が形成されている。より詳細には、開口部７は、背面部１３、天面パネル３、側面パネル２及び底板４のそれぞれの縁部によって形成されている。開口部７は、筐体５０に形成された空気の吸込口であり、室外送風機１０８の作動によって、開口部７を介して筐体５０の外部から内部に空気が流入する。
【００２６】
側面パネル２は、天面パネル３の配置側から見てＬ字形状となるように折り曲げられた板金パネルである。側面パネル２は、側面部１２に対面する縦長の第２側面部２ａと、正面部１１の一部と対面する第２背面部２ｂとを有している。第２側面部２ａは、筐体５０の側面側の側壁部を構成し、第２背面部２ｂは、筐体５０の背面側の側壁部の一部を構成する。第２背面部２ｂは、背面部１３と共に筐体５０の背面側の側壁部を構成する。なお、筐体５０は、第２背面部２ｂと背面部１３とが別体で構成されているが、第２背面部２ｂと背面部１３とが一体に形成されて筐体５０の背面側の側壁部が構成されてもよい。
【００２７】
側面パネル２は、第２側面部２ａと第２背面部２ｂとが一体に形成されているが、側面パネル２は当該構成に限定されるものではなく、第２側面部２ａと第２背面部２ｂとを別体として、２つの板金パネルで構成してもよい。また、第２側面部２ａと第２背面部２ｂとは、それぞれ複数の部材によって構成されてもよい。例えば、第２側面部２ａは、筐体５０の前後方向に分割された部材として形成されてもよく、前方の部材は正面部１１と一体に形成されてもよい。
【００２８】
天面パネル３は、筐体５０の天板を構成し、室外機１００の上部を覆う板金パネルである。天面パネル３は、外郭パネル１及び側面パネル２の上縁部に取り付けられている。
【００２９】
底板４は、筐体５０において天面パネル３と対向し、筐体５０の底壁を構成する。筐体５０の内部において、底板４には、少なくとも室外熱交換器１０５と、室外送風機１０８と、圧縮機１０１とが配置される。底板４には、外郭パネル１及び側面パネル２が取り付けられ、底板４の下面部には、複数の脚部９が設けられている。脚部９は、室外機１００を設置場所に固定するための土台となる。なお、底板４の詳細な構成については後述する。
【００３０】
（室外機１００の内部構成）
次に、図２〜図４を用いて、空気調和機の室外機１００の内部構成について説明する。室外機１００は、筐体５０の内部に、仕切板１７と、室外熱交換器１０５と、室外送風機１０８と、モータ支持部材１４と、圧縮機１０１と、を有する。
【００３１】
仕切板１７は、筐体５０の内部に設けられ、室外機１００の筐体５０内の空間を、送風機室３１と機械室３２とに隔てる仕切壁である。仕切板１７は、板状の部材であり、例えば、板金等を折曲して形成されている。仕切板１７は、筐体５０内において底板４上に配置され、底板４から上方向（Ｚ軸方向）に延びるように設けられていると共に、底板４の前後方向（Ｙ軸方向）に延びるように設けられている。
【００３２】
送風機室３１は、外郭パネル１、天面パネル３、底板４及び仕切板１７によって取り囲まれた空間である。送風機室３１は、室外機１００の外部から開口部７等の吸込口を介して室外空気を取り込み、室外機１００の内部の空気を吹出口８を介して室外機１００の外部へ排出できるように構成されている。機械室３２は、外郭パネル１の正面部１１、側面パネル２、天面パネル３、底板４、及び仕切板１７によって取り囲まれた空間である。
【００３３】
筐体５０内の送風機室３１側の空間には、室外熱交換器１０５と、室外熱交換器１０５に対向するように配置された室外送風機１０８とが収納されており、筐体５０内の機械室３２側の空間には、圧縮機１０１及び冷媒配管１６が収納されている。この冷媒配管１６は、圧縮機１０１に接続され、冷媒回路１１０の一部を構成する。
【００３４】
室外熱交換器１０５は、内部を流れる冷媒と外気との熱交換を行うものであって、暖房運転時には蒸発器として機能し、冷房運転時には凝縮器として機能する。室外熱交換器１０５は、例えば、フィンアンドチューブ型熱交換器として構成できる。室外熱交換器１０５は、底板４に対して垂直方向に見た場合にＬ字形状に形成されている。
【００３５】
室外熱交換器１０５は、筐体５０と室外送風機１０８との間に配置されている。また、室外熱交換器１０５は、室外機１００の内部において一部が開口部７に面して配置されており、開口部７を介して外部に露出している。なお、室外熱交換器１０５がＬ字状に形成された場合について例示しているが、室外熱交換器１０５は、底板４に対して垂直方向に見た場合に、他の形状に形成されたものでもよく、例えば、Ｉ字状に形成されたものでもよく、Ｕ字状に形成されたものでもよい。
【００３６】
室外送風機１０８は、室外熱交換器１０５における熱交換を効率的に行うための空気循環を生成する。室外送風機１０８は、室外熱交換器１０５とプロペラファン１０８ａとの間を負圧にして、筐体５０の背面側あるいは側面側から筐体５０の内部に外気を導入し、室外機１００の内部に導入された外気を室外機１００の前面側から筐体５０外に向かって排出する。
【００３７】
室外機１００は、室外送風機１０８を２つ備え、その背後に室外送風機１０８を囲むように室外熱交換器１０５が備えられた２ファンタイプの空気調和装置の室外機である。なお、室外機１００は、室外送風機１０８を２つ備えているが、室外機１００の構造は当該構成に限定されるものではなく、例えば、室外送風機１０８を１つ備えていてもよく、３つ以上備えてもよい。
【００３８】
モータ支持部材１４は、筐体５０の内部において、底板４と天面パネル３との間で上下方向に延びるように設けられた柱状の部材である。室外送風機１０８は、モータ支持部材１４に固定されて支持される。モータ支持部材１４は、ネジ締結等により底板４に固定される。
【００３９】
圧縮機１０１は、低温低圧の状態の冷媒を吸入し、吸入した冷媒を圧縮して高温高圧の状態の冷媒にして吐出する機器である。圧縮機１０１は、例えば、ロータリー式、スクロール式又はベーン式等の圧縮機である。圧縮機１０１は、例えば容量を制御できるインバータを備えた圧縮機でもよい。圧縮機１０１は、上述の室外送風機１０８と室外熱交換器１０５を備えた送風機室３１と仕切板１７によって分けられた機械室３２にあり、同じく機械室３２にある冷媒配管１６を通して高温の冷媒を排出する役割を果たしている。
【００４０】
（底板４の詳細）
図５は、実施の形態に係る室外機１００の機械室３２の底板４の上面図である。図６は、図５の底板４のＡ−Ａ線断面図である。なお、図５の点線で示す円は、圧縮機１０１の設置位置を表すものである。図５及び図６を、用いて底板４の詳細な構成について説明する。
【００４１】
図５及び図６に示すように、機械室３２側の底板４は、鉛直方向において、高さの異なる底面を構成する底板下部４ｂと、底板上部４ａと、を有する。底板上部４ａと、底板下部４ｂとは、段差を有し、底板上部４ａは、底板下部４ｂよりも上方に位置している。底板下部４ｂは、底板上部４ａよりも下方に位置し、底板上部４ａに対して凹状に形成された部分である。底板４は、底板上部４ａと底板下部４ｂとの間において傾斜面を形成する傾斜部４ｃを有する。傾斜部４ｃは、鉛直方向に対して傾斜した傾斜面を形成する。傾斜部４ｃは、底板上部４ａの縁部と底板下部４ｂの縁部とに沿って形成されている。底板４が傾斜部４ｃを有することで、底板上部４ａに落下した液体は、傾斜部４ｃに沿って、底板下部４ｂに導かれる。
【００４２】
図５に示すように、機械室３２において、底板４の底板上部４ａの上方には、圧縮機１０１が配置される。図５及び図６に示すように、機械室３２において、底板４の底板下部４ｂは、排水孔部４０を有する。排水孔部４０は、底板下部４ｂに筐体５０の外部と内部とを連通させる貫通孔を形成する。排水孔部４０は、底板下部４ｂに形成されており、冷媒配管１６の下方に形成されている。機械室の底板に排水孔が形成されていない室外機は、冷媒配管からの結露水、あるいは、雨水等が原因で機械室内に水漏れが生じた場合に、機械室から水を排出することができない。そして、これらの液体は、底板、あるいは、底板の上方にある冷媒配管の腐食の原因となる。これに対し、空気調和装置の室外機１００は、筐体５０内において、機械室３２の底板４に筐体５０の外部と内部とを連通させる排水孔部４０を形成することによって、機械室３２から結露水等の液体を排出することができる。
【００４３】
排水孔部４０は、底板下部４ｂの壁を切り起こして形成されている。底板下部４ｂから切り起こされた壁は、切り起こし片４１として、排水孔部４０の上方の一部を覆う。すなわち、底板４は、排水孔部４０の上方の一部を覆うように、排水孔部４０から切り起こされた切り起こし片４１を有している。切り起こし片４１は、縁部の一部が底板下部４ｂと繋がっており、底板下部４ｂと繋がった部分以外の縁部は、底板下部４ｂから切り離されている。切り起こし片４１は、矩形の板状に形成されており、４辺のうち、１辺が底板下部４ｂと繋がっており、他の３辺は底板下部４ｂから切り離されている。なお、切り起こし片４１の形状は、矩形に限定されるものではない。切り起こし片４１の形状は、例えば、長円形状、あるいは、他の多角形状等、他の形状であってもよい。排水孔部４０の形状は、切り起こし片４１の形状に対応して、矩形状に形成されている。しかし、排水孔部４０の形状は、切り起こし片４１の形状に対応して、種々の形状に形成することができる。
【００４４】
図７は、圧縮機１０１と切り起こし片４１との関係を示す概念図である。図８は、図７の切り起こし片４１及び排水孔部４０の拡大図である。なお、図７に示す実線矢印ＳＤは、圧縮機１０１から発せられる音の向かう方向を表したものであり、点線矢印ＦＬは、底板４から筐体５０の外部に排水される液体の流れを表したものである。
【００４５】
図７及び図８に示すように、切り起こし片４１は、排水孔部４０の縁部から立ち上がった状態に形成されている。切り起こし片４１は、底板４の板面に対して傾斜している。切り起こし片４１は、圧縮機１０１と対向するように形成されている。より詳細には、切り起こし片４１の上面部４１ａ側は、圧縮機１０１と対向するように切り起こされている。切り起こし片４１が底板４から切り起こされる前は、上面部４１ａは、底板４の機械室３２側の面であり、上面部４１ａの反対側の面である下面部４１ｂは、底板４の筐体５０の外部側の面である。
【００４６】
一般的に、機械室には圧縮機が配置されており、排水のために底板に孔を空けると、排水のための孔を介して圧縮機の騒音が外部に漏れてしまう恐れがある。これに対し、空気調和機の室外機１００は、切り起こし片４１が、圧縮機１０１と対向するように形成されている。切り起こし片４１は、圧縮機１０１と、排水孔部４０との間に配置されている。すなわち、室外機１００は、騒音源である圧縮機１０１から発せられる音を遮る方向に、底板４の底板下部４ｂに排水孔部４０を覆った切り起こし片４１を設けている。切り起こし片４１は、図７の実線矢印ＳＤで示すように、圧縮機１０１から発せられる音を反射する。そのため、空気調和装置の室外機１００は、切り起こし片４１によって、圧縮機１０１から発せられる音が直接、排水孔部４０を介して筐体５０の内部から外部に漏れることを抑制している。
【００４７】
また、空気調和装置の室外機１００は、切り起こし片４１の圧縮機１０１と対向する上面部４１ａに吸音材４５が配置されている。吸音材４５は、切り起こし片４１の上面部４１ａに貼り付けられている。吸音材４５は、例えば、多孔質材料から形成される。ただし、吸音材４５は、多孔質材料に限定されるものではなく、吸音のために使用される周知の材料を用いることができる。図７及び図８に示すように、空気調和装置の室外機１００は、底板４に対して傾斜した平板状の切り起こし片４１を設け、その上面部４１ａに吸音材４５を貼付している。
【００４８】
図９は、変形例の切り起こし片４１の概念図を示している。変形例の切り起こし片４１は、排水孔部４０の縁部から立ち上がった状態の側壁部４２ａと、側壁部４２ａの先端で折り曲げられ、排水孔部４０の上方で排水孔部４０を覆う上壁部４２ｂとを有する。側壁部４２ａは、底板４から立ち上がった状態に形成されている。上壁部４２ｂは、側壁部４２ａと一体に形成されており、排水孔部４０の上方に配置される。切り起こし片４１は、側壁部４２ａ及び上壁部４２ｂの機械室３２側の面に吸音材４５が配置されている。すなわち、図９に示すように、変形例の切り起こし片４１は、側壁部４２ａと上壁部４２ｂとを有することで、筐体５０の内部に突出した状態で排水孔部４０の一部を覆い、その上に吸音材４５を貼付している。変形例の切り起こし片４１は、平板状に形成するよりも加工は難しくなるが、切り起こし片４１が平板状に形成されるよりも排水孔部４０の上方を覆うことができ、切り起こし片４１が平板状に形成されるよりも遮音性を向上させることができる。
【００４９】
［室外機１００の動作］
室外機１００の駆動状態では、室外熱交換器１０５内を流れる冷媒と室外空気との間の熱交換の効率を高めるために、室外送風機１０８が駆動している。室外送風機１０８は、室外熱交換器１０５とプロペラファン１０８ａとの間を負圧にして、筐体５０の背面側あるいは側面側から筐体５０の内部に外気を導入する。そして、室外送風機１０８は、筐体５０の内部に導入されて熱交換が行われた空気を、吹出空気として筐体５０の前面側（Ｙ１側）に形成された吹出口８から筐体５０外に向かって排出させる。この際、筐体５０内に流入した空気は、室外熱交換器１０５の内部を流れる冷媒との間において熱交換が行われる。
【００５０】
［室外機１００の作用効果］
空気調和機の室外機１００は、機械室３２において、底板４に、筐体５０の内部と外部とを連通させる排水孔部４０が形成されていることで、結露水、あるいは、雨水等を機械室３２から筐体５０の外部に排水できる。また、機械室３２において、底板４は、排水孔部４０の上方の一部を覆うように、排水孔部４０から切り起こされた切り起こし片４１を有しており、切り起こし片４１は、圧縮機１０１と対向するように形成されている。室外機１００は、排水孔部４０の上方の一部を覆い、圧縮機１０１と対向する切り起こし片４１によって、圧縮機１０１から発せられる音を反射することができる。そのため、室外機１００は、機械室３２に排水孔部４０が形成されていても、圧縮機１０１から生じる騒音が排水孔部４０を介して筐体５０の外部に漏れることを抑制することができる。
【００５１】
また、空気調和機の室外機１００は、機械室３２において、底板４に、筐体５０の内部と外部とを連通させる排水孔部４０が形成されていることで、結露水、あるいは、雨水等を機械室３２から筐体５０の外部に排水できる。一般的に、機械室に水が溜まると底板あるいは配管等の腐食が生じる恐れがある。空気調和機の室外機１００は、排水孔部４０が形成されていることで、結露水、あるいは、雨水等を機械室３２から筐体５０の外部に排水できる。そのため、空気調和機の室外機１００は、底板４あるいは冷媒配管１６等の腐食を抑制することができる。
【００５２】
また、排水孔部４０は、底板上部４ａよりも下方に位置する底板下部４ｂに形成されている。そのため、室外機１００は、筐体５０の下方に集まった液体を排水しやすい。また、底板上部４ａと底板下部４ｂとによって形成される段差によって、圧縮機１０１から発せられる音は、直接、排水孔部４０に向かうことが遮られる。そのため、室外機１００は、圧縮機１０１から生じる騒音が排水孔部４０を介して筐体５０の外部に漏れることを抑制することができる。
【００５３】
また、底板４は、底板下部４ｂと底板上部４ａとの間に鉛直方向に対して傾斜した傾斜部４ｃを有している。そのため、室外機１００は、傾斜部４ｃの斜面を利用して排水孔部４０が形成された底板下部４ｂに、機械室３２内の液体を集めやすい。
【００５４】
また、切り起こし片４１は、底板４の板面に対して傾斜している。そのため、室外機１００は、切り起こし片４１の下面部４１ｂ側から排水孔部４０を介して液体を排水することができ、切り起こし片４１の上面部４１ａ側では圧縮機１０１が発する音を反射することができる。
【００５５】
また、切り起こし片４１は、底板４から立ち上がった状態の側壁部４２ａと、側壁部４２ａと一体に形成されており排水孔部４０の上方に配置される上壁部４２ｂと、を有する。当該構成を有する室外機１００は、切り起こし片４１が平板状に形成されるよりも排水孔部４０の上方を覆うことができ、切り起こし片４１が平板状に形成されるよりも遮音性を向上させることができる。
【００５６】
また、切り起こし片４１は、圧縮機１０１と対向する面に吸音材４５が配置されている。空気調和装置の室外機１００は、切り起こし片４１の音源側の面に吸音材４５が配置されていることによって、吸音材４５を用いない場合よりも効率的に機械室３２から筐体５０の外部に漏れる音を抑制することができる。
【００５７】
また、切り起こし片４１は、側壁部４２ａ及び上壁部４２ｂの機械室３２側の面に吸音材４５が配置されている。当該構成を有する室外機１００は、切り起こし片４１が平板状に形成されるよりも排水孔部４０の上方を覆うことができ、切り起こし片４１が平板状に形成されるよりも遮音性を向上させることができる。さらに、空気調和装置の室外機１００は、切り起こし片４１の音源側の面に吸音材４５が配置されていることによって、吸音材４５を用いない場合よりも効率的に機械室３２から筐体５０の外部に漏れる音を抑制することができる。
【００５８】
また、排水孔部４０は、圧縮機１０１と接続する冷媒配管１６の下方に形成されている。そのため、室外機１００は、冷媒配管１６から生じる結露水を速やかに排水しやすくなる。
【００５９】
［冷凍サイクル装置１５０の作用効果］
上記で説明した冷凍サイクル装置１５０は、実施の形態に係る空気調和機の室外機１００を備えたものである。そのため、冷凍サイクル装置１５０において、実施の形態に係る空気調和機の室外機１００と同様の効果が得られる。
【００６０】
以上の実施の形態に示した構成は、一例を示すものであり、別の公知の技術と組み合わせることも可能であるし、本発明の要旨を逸脱しない範囲で、構成の一部を省略、変更することも可能である。例えば、実施の形態に係る空気調和機の室外機１００は、底板４に排水孔部４０が１つ形成されているが、排水孔部４０は、底板４に複数形成されてもよい。同様に、実施の形態に係る空気調和機の室外機１００は、底板４に切り起こし片４１が１つ形成されているが、切り起こし片４１は、底板４に複数形成されてもよい。
【符号の説明】
【００６１】
１  外郭パネル、２  側面パネル、２ａ  第２側面部、２ｂ  第２背面部、３  天面パネル、４  底板、４ａ  底板上部、４ｂ  底板下部、４ｃ  傾斜部、６  ファンガード、７  開口部、８  吹出口、９  脚部、１１  正面部、１２  側面部、１３  背面部、１４  モータ支持部材、１６  冷媒配管、１７  仕切板、３１  送風機室、３２  機械室、４０  排水孔部、４１  切り起こし片、４１ａ  上面部、４１ｂ  下面部、４２ａ  側壁部、４２ｂ  上壁部、４５  吸音材、５０  筐体、１００  室外機、１０１  圧縮機、１０２  流路切替装置、１０３  室内熱交換器、１０４  減圧装置、１０５  室外熱交換器、１０８  室外送風機、１０８ａ  プロペラファン、１０９  室内送風機、１１０  冷媒回路、１１１  延長配管、１１２  延長配管、１５０  冷凍サイクル装置、２００  室内機。
【図１】
2020202495.tif 000003
【図２】
2020202495.tif 000004
【図３】
2020202495.tif 000005
【図４】
2020202495.tif 000006
【図５】
2020202495.tif 000007
【図６】
2020202495.tif 000008
【図７】
2020202495.tif 000009
【図８】
2020202495.tif 000010
【図９】
2020202495.tif 000011
【手続補正書】
【提出日】令和3年3月24日(2021.3.24)
【手続補正２】
【補正対象書類名】明細書
【補正対象項目名】０００１
【補正方法】変更
【補正の内容】
【０００１】
本発明は、冷凍サイクル装置を構成する空気調和機の室外機に関するものである。
【国際調査報告】
2020202495.tif 000012
2020202495.tif 000013
2020202495.tif 000014
2020202495.tif 000015